(57)【要約】【課題】構造が簡単で、特別な部材を用いることなく本体の脱落が防止でき、非使用時であっても、待機状態でドアノブに装備しておくことができ、速やかに装着が可能な解錠防止具を提供する【解決手段】本体１は、剛体で構成され、一方にドアノブ係合部２を有し、他方に開閉錠つまみ係合固定部３を有する。ドアノブ係合部２は、本体１をドアノブに着脱可能に形成した貫通孔２０で構成される。貫通孔２０は、本体１が、ドアノブを中心として回動可能で、開閉錠つまみ９を中心とした回動を阻止するよう構成される。開閉錠つまみ係合固定部３は、開閉錠つまみ９に着脱可能に形成され、回転阻止部３１と、脱落阻止部３２とを含む。回転阻止部３１は、開閉錠つまみ９の回転方向において開閉錠つまみ９と当接する。脱落阻止部３２は、開閉錠つまみ９との離脱方向において開閉錠つまみ９と当接する。【選択図】図１
2006022544.tif 000002
【特許請求の範囲】
【請求項１】
本体と、ドアノブ係合部と、開閉錠つまみ係合固定部とを含む解錠防止具であって、
前記本体は、剛体で構成され、一方にドアノブ係合部を有し、他方に開閉錠つまみ係合固定部を有し、
前記ドアノブ係合部は、前記本体を前記ドアノブに着脱可能に形成した貫通孔で構成され、
前記貫通孔は、前記本体が、前記ドアノブを中心として回動可能で、前記開閉錠つまみを中心とした回動を阻止するよう構成され、
前記開閉錠つまみ係合固定部は、開閉錠つまみに着脱可能に形成され、回転阻止部と、脱落阻止部とを含み、
前記回転阻止部は、前記開閉錠つまみの回転方向において前記開閉錠つまみと当接し、
前記脱落阻止部は、前記開閉錠つまみから前記本体が離脱する方向において、前記開閉錠つまみと当接する、
解錠防止具。
【請求項２】
請求項１に記載された解錠防止具であって、
前記貫通孔は、大径の円弧と、前記大径の円弧に連続した小径の円弧とを含み、瓢箪形に形成され、
前記貫通孔は、前記ドアノブを挿通する大きさであり、
前記小径の円弧は、前記ドアノブの回転軸径と同じかわずかに大きい径を有する、
解錠防止具。
【請求項３】
請求項１または２に記載された解錠防止具であって、
前記開閉錠つまみ係合固定部は、長孔で構成され、
前記回転阻止部は、前記長孔の長辺であって、
前記脱落阻止部は、前記長孔の短辺である、
解錠防止具。
【請求項４】
請求項３に記載された解錠防止具であって、
前記長孔は、第１の長孔と、前記第１の長孔に連続し前記第１の長孔より短い第２の長孔とを含み、短辺に段部を有する段付き長孔で構成され、
前記回転阻止部は、前記第１、第２の長孔の長辺であって、
前記脱落阻止部は、前記短辺に形成された段部である、
解錠防止具。
【請求項５】
請求項１乃至４の何れかに記載された解錠防止具であって、
前記開閉錠つまみ係合固定部は、係合孔と、突起とを含み、
前記突起は、前記係合孔の縁辺から係合孔の内部に向かって突出して、前記開閉錠つまみに形成された穴に嵌合し、
前記回転阻止部及び前記脱落阻止部は、前記突起で兼用される、
解錠防止具。
【請求項６】
請求項１乃至５の何れかに記載された解錠防止具であって、
第１の部材と、第２の部材と、連結部材とを含み、
前記ドアノブ係合部は前記第１の部材に形成され、
前記開閉錠つまみ係合固定部は前記第２の部材に形成され、
前記連結部材は、支持ロッドとコイルばねとを含み、前記第１の部材と、前記第２の部材とを連結し一体化する、
解錠防止具。
【請求項７】
請求項１乃至６の何れかに記載された解錠防止具であって、
第１の部材と、第２の部材と、連結固定部材とを含み、
前記ドアノブ係合部は前記第１の部材に形成され、
前記開閉錠つまみ係合固定部は前記第２の部材に形成され、
前記連結固定部材は、固定部材を含み、前記第１の部材と、前記第２の部材とをスライド可能に連結し、固定する、
解錠防止具。
【発明の詳細な説明】
【技術分野】
【０００１】
本発明は、家屋のドア等に用いられる錠前の不正解錠を防止する解錠防止具に関する。
【背景技術】
【０００２】
家屋のドア等は、通常、開閉操作のための装置と、錠前とを含んで構成される。開閉操作のための装置としては、ドアノブと前記ドアノブに連動する三角ラッチ等がある。前記ドアノブは、ドアの内外両面に設けられ、前記ドアノブで前記三角ラッチを操作することにより、前記錠前の解錠時に、ドアの内外からドアの開閉操作が行えるよう構成される。
【０００３】
家屋のドア等に用いられる錠前は、一般的に、シリンダーと、かんぬき（デッドボルト）と、開閉錠つまみ（サムターン）とを含んで構成される。シリンダーは、鍵穴を含み、鍵穴に鍵が差し込まれることにより回転可能に構成される。かんぬきは、シリンダーの回転に連動する。シリンダーが施錠方向に回転したときは、かんぬきがドアの側面から突出し、ドア取り付け枠等に設けた凹部に嵌合してドアの開放移動を阻止する。シリンダーが解錠方向に回転したときは、かんぬきがドアの側面に収容され、ドアの開閉移動を可能にする。
【０００４】
開閉錠つまみは、指でつまんで回転させやすいように、平板、角板あるいは楕円等の形状に構成される。開閉錠つまみは、ドアの内側に取り付けられ、回転軸を介してかんぬきと連結される。開閉錠つまみとかんぬきは、その動きが連動しており、開閉錠つまみを回転することにより、かんぬきをドアの側面から突出させたり、収容させたりできる。また、シリンダーが解錠もしくは施錠方向に回転すると、開閉錠つまみも解錠もしくは施錠方向に回転する。
【０００５】
上述のように構成された錠前において、昨今、錠前の破錠や、いわゆるピッキング、サムターン回し等の不正解錠が多発している。このような不正解錠に対して種々の対策が提案されているが、最も簡便な方法として、開閉錠つまみの回転を阻止する固定具を用いる方法がある。
【０００６】
特許文献１は、このようなドア開錠防止装着具の一例を開示している。このドア開錠防止装着具は、その実用新案登録請求の範囲の記載によると、略四角型の形状であって、装着板本体の中央部に開閉錠ツマミ固定穴からなるドア開錠防止装着具である。更に具体的には、装着板本体の上部がドアに固定できるように磁石を設け、予めドアに磁石固定板を張り付け、磁力によって固定する手段や、装着板本体の中央下に、逆Ｕ字状のドアノブ受け部を設け、ドアノブに差し込むようにして装着固定させる手段等を開示している。
【０００７】
しかし、このように磁石を用いて装着板本体をドアに固定する方法は、あらかじめドアに磁石固定板を張り付けたり、装着板本体に磁石を取り付ける必要があり構造が複雑になる。また、非装着時には、装着板本体を別途保管しておき、施錠時に保管場所から取り出し装着する必要がある。
【特許文献１】実用新案登録第３０８６０９８号公報
【発明の開示】
【発明が解決しようとする課題】
【０００８】
本発明の課題は、構造が簡単で、特別な部材を用いることなく本体の脱落が防止できる解錠防止具を提供することである。
【０００９】
本発明のもう一つの課題は、非使用時であっても、待機状態でドアノブに装備しておくことができ、紛失等のおそれが無く、施錠時に速やかに装着が可能な解錠防止具を提供することである。
【００１０】
本発明の更にもう一つの課題は、開閉錠つまみとドアノブとの距離が異なる種々のドアに装着し得る解錠防止具を提供することである。
【課題を解決するための手段】
【００１１】
上述した課題を解決するため、本発明に係る解錠防止具は、本体と、ドアノブ係合部と、開閉錠つまみ係合固定部とを含む。前記本体は、剛体で構成され、一方にドアノブ係合部を有し、他方に開閉錠つまみ係合固定部を有する。前記ドアノブ係合部は、前記本体を前記ドアノブに着脱可能に形成した貫通孔で構成される。前記貫通孔は、前記本体が、前記ドアノブを中心として回動可能で、前記開閉錠つまみを中心とした回動を阻止するよう構成される。前記開閉錠つまみ係合固定部は、開閉錠つまみに着脱可能に形成され、回転阻止部と、脱落阻止部とを含む。前記回転阻止部は、前記開閉錠つまみの回転方向において前記開閉錠つまみと当接する。前記脱落阻止部は、前記開閉錠つまみから前記本体が離脱する方向において、前記開閉錠つまみと当接する。
【００１２】
上述した解錠防止具において、本体は、剛体で構成され、一方にドアノブ係合部を有し、他方に開閉錠つまみ係合固定部を有する。この構成は本体の一方がドアノブに係合し、本体の他方が開閉錠つまみに係合したとき、開閉錠つまみの回転を阻止する基本的な構造を提供する。
【００１３】
ドアノブ係合部は、本体をドアノブに着脱可能に形成した貫通孔で構成されるから、貫通孔を介して本体をドアノブに装着できる。貫通孔は、本体が、ドアノブを中心として回動可能に構成されるから、本体は、開閉錠つまみとの係合を解除されたとき、ドアノブを中心として回動し、本体の他方に形成された開閉錠つまみ係合固定部を下にして、ドアノブから垂下し、待機状態で保持される。また、貫通孔は、本体が、開閉錠つまみを中心とした回動を阻止するよう構成されるから、開閉錠つまみ係合固定部が開閉錠つまみに係合したとき、開閉錠つまみ係合固定部及びドアノブに対する本体の相対位置関係を開閉錠つまみの回転方向に対して固定できる。
【００１４】
開閉錠つまみ係合固定部は、開閉錠つまみに着脱可能に形成され、回転阻止部と、脱落阻止部とを含む。回転阻止部は、開閉錠つまみの回転方向において開閉錠つまみと当接するから、開閉錠つまみの回転を阻止しうる。脱落阻止部は、開閉錠つまみとの離脱方向において開閉錠つまみと当接するから、本体の脱落を防止できる。
【００１５】
このように、本発明は、ドアノブ及び開閉錠つまみに本体を装着することで、開閉錠つまみの回転を阻止できるので、錠前の不正解錠が防止でき、しかも、構造が簡単で、特別な部材を用いることなく本体の脱落が防止できる解錠防止具を提供することができる。また、非使用時であっても、待機状態でドアノブに装備しておくことができ、紛失等のおそれが無く、施錠時に速やかに装着が可能で、開閉錠つまみとドアノブとの距離が異なる種々のドアにも装着し得る解錠防止具を提供することができる。
【００１６】
本発明の解錠防止具は、前記開閉錠つまみ係合固定部を長孔で構成できる。この場合、前記長孔の長辺を回転阻止部として開閉錠つまみの長手方向側面に当接し、前記長孔の短辺を前記開閉錠つまみに形成された凹部もしくは開閉錠つまみとドアとの間に形成される間隙にはめ込み、開閉錠つまみのドアと対向する側面に当接すれば、極めて簡単な構造の脱落阻止部が構成できる。また、前記長孔は、第１の長孔と、前記第１の長孔に連続し前記第１の長孔より短い第２の長孔とを含み、短辺に段部を有する段付き長孔で構成することもできる。この場合、前記第１、第２の長孔の長辺を回転阻止部として開閉錠つまみの長手方向側面に当接し、前記短辺に形成された段部を前記開閉錠つまみに形成された凹部もしくは開閉錠つまみとドアとの間に形成される間隙にはめ込み、開閉錠つまみのドアと対向する側面に当接すれば、更に確実な脱落阻止部が構成できる。
【００１７】
更に、本発明の解錠防止具は、前記開閉錠つまみ係合固定部に突起を含ませることができる。この場合、前記開閉錠つまみに突起が嵌合する穴が必要となるが、前記回転阻止部及び前記脱落阻止部を前記突起で兼用させられるので、開閉錠つまみの形状は特に限定されず、どのような形状のつまみであっても用いることができる。
【００１８】
本発明の他の目的、構成及び利点については、添付図面を参照し、更に詳しく説明する。但し、添付図面は、単なる例示に過ぎない。
【発明の効果】
【００１９】
以上述べたように、本発明によれば次のような効果を得ることができる。
（Ａ）構造が簡単で、特別な部材を用いることなく本体の脱落が防止できる解錠防止具を提供することができる。
（Ｂ）非使用時であっても、待機状態でドアノブに装備しておくことができ、紛失等のおそれが無く、施錠時に速やかに装着が可能な解錠防止具を提供することができる。
（Ｃ）開閉錠つまみとドアノブとの距離が異なる種々のドアに装着し得る解錠防止具を提供することができる。
【発明を実施するための最良の形態】
【００２０】
【実施例１】
【００２１】
図１は本発明に係る解錠防止具の一実施例を示す正面図、図２は図１に図示した解錠防止具の側面図である。
【００２２】
本発明に係る解錠防止具は、本体１と、ドアノブ係合部２と、開閉錠つまみ係合固定部３とを含む。
【００２３】
本体１は、剛体で構成され、一方にドアノブ係合部２を有し、他方に開閉錠つまみ係合固定部３を有する。本体１の材料は、開閉錠つまみに不正な回転力が加わったとき、破損や変形が生じない程度の剛性を有すれば良く、金属板や合成樹脂板が用いられ、材質に合わせてその厚みや形状が選定される。本実施例は、厚み寸法ｔ１が３．０ｍｍの塩化ビニール板で構成している。
【００２４】
ドアノブ係合部２は、本体１をドアノブ６（図３〜図６参照）に着脱可能に形成した貫通孔２０で構成される。貫通孔２０は、本体１の一方の端部に形成される。貫通孔２０は、プレスによる打ち抜き、研削加工あるいは樹脂成形等の手段で形成できる。貫通孔２０の形状は、本体１が、ドアノブ６を中心として回動可能で、しかも、開閉錠つまみ９を中心とした回動を阻止する形状であれば、どのような形状であっても良い。本実施例では、貫通孔２０は、大径の円弧２１と、大径の円弧２１に連続した小径の円弧２２とを含み、瓢箪形に形成される。貫通孔２０は、ドアノブ６を挿通する大きさであり、小径の円弧２２は、ドアノブ６の回転軸６１の径と同じかわずかに大きい径を有する。小径の円弧２２の径ｃ１は、ドアノブ６の回転軸６１の径に近いほど、開閉錠つまみ９を中心とした回動を阻止する際の遊びを小さくできるので好ましい。大径の円弧２１と小径の円弧２２との接続部分には、小径の円弧２２に連続する平行な直線部分が含まれていると良い。平行な直線部分が長いと、開閉錠つまみ９とドアノブ６との距離が異なる種々のドア１０に装着することができ、その適用範囲を拡大し得る。平行な直線の対向間隔が、ドアノブ６の回転軸６１の径に近いほど、開閉錠つまみ９を中心とした回動を阻止する際の遊びが小さくなる。
【００２５】
開閉錠つまみ係合固定部３は、開閉錠つまみ９（図３〜図６参照）に着脱可能に形成され、回転阻止部３１と、脱落阻止部３２とを含む。本実施例では、開閉錠つまみ係合固定部３は、本体１の他方の端部の上下方向に形成された角形の長孔３１０で構成される。長孔３１０は、プレスによる打ち抜き、研削加工あるいは樹脂成形等の手段で形成できる。長孔３１０の長辺３１１、３１２は、開閉錠つまみ９の回転方向において開閉錠つまみ９の長手方向側面９１、９２と当接し、回転阻止部３１を構成する。長孔３１０の短辺３２１は、開閉錠つまみ９から本体１が離脱する方向において、凹部９５で形成される開閉錠つまみ９のドアと対向する側面９６と当接し、脱落阻止部３２を構成する。長孔３１０の大きさは、開閉錠つまみ９を挿通できる大きさであれば良く、その長辺３１１、３１２の寸法ｂ１が開閉錠つまみ９の長手方向側面９１、９２の寸法と同じかわずかに大きく、短辺３２１の寸法ａ１が、開閉錠つまみ９の厚み寸法と同じかわずかに大きく形成される。
【００２６】
ドアノブ係合部２と開閉錠つまみ係合固定部３との距離は、小径の円弧２２がドアノブ６の回転軸６１と接している状態で、長孔３１０の短辺３２１が施錠状態における開閉錠つまみ９の上側の凹部９５にはまり込み、開閉錠つまみ９のドアと対向する側面９６と当接する寸法であれば良い。
【００２７】
このように構成された本実施例の解錠防止具は、ドア１０の少なくとも内側にドアノブ６と開閉錠つまみ９とを備えたドア１０に用いられる。
【００２８】
以下、図３乃至図６を参照して、本実施例の解錠防止具の装着状態について説明する。図３乃至図６は図１に図示した解錠防止具をドアに装着した状態を示す図であって、図３、図４はそれぞれ解錠状態の正面図及び側面図。図５、図６はそれぞれ施錠状態の正面図及び側面図である。
【００２９】
本実施例に用いる開閉錠つまみ９及びドアノブ６は、ごく一般的な形状である。開閉錠つまみ９は平板状であって、相対向する長手方向側面を有し、平板の付け根がくびれて開閉錠つまみ９とドア１０との間に凹部９５でなる間隙が形成されている。ドアノブ６は、開閉錠つまみ９の下方において、ドア１０の内外両側に設けられ、それぞれ回転軸６１に連続してその径方向に曲げられたレバー状の回転操作部６２を含んでいる。図において、６３は三角ラッチである。
【００３０】
このように構成されたドアノブ６に対して、本実施例の解錠防止具は、内側のドアノブ６の回転操作部６２を貫通孔２０に挿通して、ドア１０の内側に装着される。ドアノブ６は、図示した実施例に限らず、回転軸６１の軸上に備えられた大径の円形や球形もしくは楕円や角型の操作部を有するものでも良く、特に形状は限定されない。
【００３１】
解錠防止具は、図３、図４に図示するように、解錠状態において、開閉錠つまみ係合固定部３を下にして、ドアノブ６から垂下し、待機状態で保持される。
【００３２】
開閉錠つまみ９は、一般的に指でつまんで回転させやすいように、平板、角板あるいは楕円等の形状に構成される。開閉錠つまみ９は、ドア１０の内側に取り付けられ、錠前の内部に設けられた回転軸９７を介してかんぬき８と連結される。本実施例で用いた開閉錠つまみ９はごく一般的な形状の開閉錠つまみで、図３乃至図６に図示したように、相対向する長手方向側面９１、９２を有する平板で、平板の両側のドア１０寄りの部分がくびれて凹部９５が形成されている。平板の寸法は、一般的に長手方向側面９１、９２が数ｃｍ、厚みが数ｍｍ程度である。凹部９５の寸法は、開口幅及び深さとも数ｍｍ程度である。凹部９５の開口幅は、本体１の厚み寸法ｔ１＝３．０ｍｍ以上の幅が必要であり、これより狭い場合は、切り欠き加工が必要となる。また、凹部９５が形成されていない開閉錠つまみに用いる場合は、切り欠き加工により凹部９５を形成すれば良い。
【００３３】
本実施例の開閉錠つまみ９において、平板が水平状態のときは解錠状態にあり、平板が垂直状態のときは施錠状態にある。
【００３４】
このように構成された開閉錠つまみ９に対して、解錠防止具を装着するには、図３、図４に示す状態から、開閉錠つまみ９を平板が垂直となる位置に回転させて施錠状態とした後、本体１をドアノブ６の回転軸６１を中心として回動させ、図５、図６に図示したように、開閉錠つまみ係合固定部３を開閉錠つまみ９に係合させればよい。
【００３５】
解錠防止具は、開閉錠つまみ係合固定部３の長辺３１１、３１２が、開閉錠つまみ９の長手方向側面９１、９２に当接し、更に、ドアノブ係合部２の小径の円弧２２がドアノブ６の回転軸６１と接している状態で、長孔３１０の短辺３２１が開閉錠つまみ９の凹部９５にはまり込み、閉錠つまみ９のドアと対向する側面９６と当接して装着される。
【００３６】
貫通孔２０は、小径の円弧２２がドアノブ６の回転軸６１と係合することにより、本体１が開閉錠つまみ９を中心として回動するのを阻止できるから、開閉錠つまみ係合固定部３が開閉錠つまみ９に係合したとき、開閉錠つまみ係合固定部３及びドアノブ６と、本体１との相対位置関係を開閉錠つまみの回転方向に対して固定できる。また、貫通孔２０とドアノブ６との係合は、開閉錠つまみを中心とした回動を阻止する方向のみで良いので、貫通孔２０の上下方向に余裕を持たせておけば、開閉錠つまみ９とドアノブ６との距離が異なる種々のドア１０にも装着し得る。
【００３７】
開閉錠つまみ係合固定部３は、開閉錠つまみ９に着脱可能な角形の長孔３１０で形成され、回転阻止部３１と、脱落阻止部３２とを含む。長孔３１０の長辺３１１、３１２は、開閉錠つまみ９の回転方向において開閉錠つまみ９の長手方向側面９１、９２に当接するから、開閉錠つまみの回転を阻止しうる。長孔３１０の短辺３２１は、開閉錠つまみ９のドア１０と対向する側面９６と当接するから、本体１の脱落を阻止できる。
【００３８】
上述のように構成された本実施例の解錠防止具において、ドアノブ係合部２は、本体１をドアノブ６に着脱可能に形成した瓢箪形の貫通孔２０で構成されるから、貫通孔２０を介して本体１をドアノブ６に容易に装着できる。貫通孔２０は、本体１が、ドアノブ６を中心として回動可能に構成されるから、本体１は、開閉錠つまみ９との係合を解除されたとき、ドアノブ６を中心として回動し、開閉錠つまみ係合固定部３を下にして、ドアノブ６から垂下し、待機状態で保持できる。
【００３９】
このように、本発明の解錠防止具によれば、ドアノブ６及び開閉錠つまみ９に本体１を装着することで、開閉錠つまみ９の回転を阻止できるので、錠前の破錠や、いわゆるピッキング、サムターン回し等の手段、更には、合鍵等を用いた不正解錠手段で、開閉錠つまみ９を解錠方向に回転させようとしても、開閉錠つまみ９が回転しないので、錠前の不正解錠が防止できる。しかも、構造が簡単で、特別な部材を用いることなく本体１の脱落が防止できる解錠防止具を提供することができる。また、非使用時であっても、待機状態でドアノブ６に装備しておくことができ、紛失等のおそれが無く、施錠時に速やかに装着が可能で、開閉錠つまみ９とドアノブ６との距離が異なる種々のドア１０にも装着し得る解錠防止具を提供することができる。
【実施例２】
【００４０】
本実施例の解錠防止具は、図１乃至図６に図示した実施例における開閉錠つまみ係合固定部３の長孔３１０を水平方向に長く形成することにより、開閉錠つまみが水平状態で施錠される錠前に用いた例を示している。
【００４１】
図７は、図１乃至図６に図示した実施例に対して、長孔３１０を水平方向に長く変更した解錠防止具の正面図、図８はその側面図、図９は、図７、図８に図示した解錠防止具を、開閉錠つまみが水平状態で施錠される錠前に装着した状態を示す正面図である。本実施例では、開閉錠つまみ係合固定部３の長孔３１０を水平方向にわずかにずらして形成している。具体的には、本実施例の長孔３１０の水平方向中心線Ｃ３は、ドアノブ係合部２の中心線Ｃ２から寸法ｂ２だけ右側方向にずれている。寸法ｂ２は、開閉錠つまみ９に形成された凹部９５の深さに等しい。なお、長辺３１１、３１２の寸法ｂ１及び短辺３２１の寸法ａ１は、図１乃至図６に図示した実施例と同様、寸法ｂ１が開閉錠つまみ９の長手方向側面９１、９２の寸法と同じかわずかに大きく、寸法ａ１が、開閉錠つまみ９の厚み寸法と同じかわずかに大きく形成されている。
【００４２】
このように形成された本実施例の解錠防止具は、施錠時にドア１０に装着された際、開閉錠つまみ９に対して、寸法ｂ２だけ右側方向にずれて装着される。寸法ｂ２は、開閉錠つまみ９に形成された凹部９５の深さに等しいので、長孔の左側短辺３２１が凹部９５にはまり込み、開閉錠つまみ９のドアと対向する側面と当接するので、脱落阻止部３２を構成することができる。
【００４３】
本実施例の解錠防止具において、脱落阻止部３２は片側のみに形成されるが、長孔３１０の長辺３１１、３１２の寸法ｂ１を開閉錠つまみ９の長手方向側面９１、９２の寸法よりわずかに短く形成すれば、長孔３１０の形成位置を水平方向にずらすことなく、長孔３１０の両側の短辺３２１を脱落阻止部３２として機能させることができる。この場合、解錠防止具の装着は、開閉錠つまみ９の一方の端部を長孔３１０に挿通して一方の短辺３２１を凹部９５にはめ込んだ後、他方の端部を長孔３１０に挿通するように、片側から順次装着する。装着後、解錠防止具本体１を中心に配置すれば、長孔３１０の両側の短辺３２１を開閉錠つまみ９のドア１０と対向する側面と確実に当接することができる。
【００４４】
このように、何れの場合も、長孔３１０の短辺３２１を開閉錠つまみ９と当接することができ、本体１の脱落を阻止できる。その他の作用効果は図１乃至図６に図示した実施例と同様である。
【実施例３】
【００４５】
本発明の解錠防止具は、種々の形状の開閉錠つまみ９にも用い得る。例えば、開閉錠つまみの凹部に円形の回転軸が露出し、その円周面が回転阻止部の当接面として機能しない場合でも用い得る。
【００４６】
図１０は、このような開閉錠つまみ９に用いる解錠防止具の正面図、図１１は、図１０に図示した解錠防止具の施錠時における装着状態を示す正面図、図１２はその側面図である。図において、図１乃至図９と同一参照符号は、同一構成要素を示している。
【００４７】
本実施例の解錠防止具は、開閉錠つまみ９が水平状態で施錠される錠前に用いる解錠防止具であるが、開閉錠つまみ係合固定部３以外の構成要素は、図１乃至図９と同一構成であるため、その説明を省略する。
【００４８】
本実施例の開閉錠つまみ係合固定部３は、図１乃至図９に図示した実施例と同様、回転阻止部３１と、脱落阻止部３２とを含み、角形の長孔３１０で構成されるが、長孔３１０の長辺３１１、３１２にそれぞれ突き出し辺３１３、３１４を備えている。長辺３１１、３１２の突き出し辺３１３、３１４は、回転阻止部３１を構成する。突き出し辺３１３、３１４は、プレス加工、研削加工あるいは樹脂成形等の手段で形成できる。
【００４９】
長孔３１０の大きさは、その長辺３１１、３１２の寸法ｂ１が開閉錠つまみ９の長手方向寸法よりわずかに小さく、短辺３２１の寸法ａ１が、開閉錠つまみ９の厚みと同じかわずかに大きく形成される。長孔３１０の相対向する短辺３２１は、脱落阻止部３２を構成する。
【００５０】
本実施例の解錠防止具が装着される開閉錠つまみ９は、相対向する長手方向側面９１、９２を有する平板で、ドア１０から突き出た回転軸９７と連結され、間隙９８を介してドア１０に取り付けられている。
【００５１】
本実施例の解錠防止具の装着は、開閉錠つまみ９の一方の端部を長孔３１０に挿通して一方の短辺３２１を間隙９８にはめ込んだ後、他方の端部を長孔３１０に挿通するように、片側から順次装着する。装着後、解錠防止具本体１を中心に配置し、長孔３１０の両側の短辺３２１を開閉錠つまみ９の両側に形成された間隙９８にはめ込めば、長孔３１０の両側の短辺３２１を開閉錠つまみ９のドア１０と対向する側面９６と確実に当接することができる。
【００５２】
開閉錠つまみ９に装着された開閉錠つまみ係合固定部３は、長孔３１０の長辺３１１、３１２に形成された突き出し辺３１３、３１４が、開閉錠つまみ９の回転方向において開閉錠つまみ９の長手方向側面９１、９２に当接するから、開閉錠つまみ９の回転を阻止しうる。長孔３１０の短辺３２１は、開閉錠つまみ９のドア１０と対向する側面９６と当接するから、本体１の脱落を阻止できる。
【００５３】
本実施例の解錠防止具も、図１乃至図６に図示した実施例と同様の作用効果を有する。
【実施例４】
【００５４】
図１３は、図１１、図１２に図示したと同様の開閉錠つまみ９に装着する解錠防止具の他の実施例を示す正面図、図１４はその平面図である。図１５は図１３、図１４に図示した解錠防止具の装着過程を示す平面図、図１６は図１３、図１４に図示した解錠防止具の装着状態を示す正面図である。図において、図１乃至図１２と同一参照符号は、同一構成要素を示している。本実施例の解錠防止具において、開閉錠つまみ係合固定部３以外の構成要素は、図１乃至図１２と同一構成であるため、その説明は省略する。
【００５５】
本実施例の解錠防止具において、開閉錠つまみ係合固定部３は、図１乃至図１２に図示した実施例と同様、回転阻止部３１と、脱落阻止部３２とを含み、角形の長孔３１０で構成されるが、長孔３１０の短辺３２１、３２２にそれぞれ段付き突き出し辺３２３、３２４を備えている。段付き突き出し辺３２３、３２４は、本体１の板面の厚み方向に折り曲げられ、更に、その先端が長孔３１０の中心方向に折り曲げられて突出しており、脱落阻止部３２を構成する。長孔３１０及び段付き突き出し辺３２３、３２４は、本体１の材質に応じて、プレス加工、研削加工あるいは樹脂成形等の手段で形成される。段付き突き出し辺３２３、３２４の先端間の寸法ｂ３は、開閉錠つまみ９の長手方向寸法より小さく形成される。また、一方の段付き突き出し辺３２３の先端と、他方の段付き突き出し辺３２４の本体１との折り曲げ部間の寸法ｂ４は、開閉錠つまみ９の長手方向側面の対角寸法ｄ１と同じかわずかに大きく形成される。長孔３１０の長辺３１１、３１２の寸法ｂ１は、段付き突き出し辺３２３、３２４の先端間の寸法ｂ３に、両方の段付き突き出し辺３２３、３２４の突出寸法を加えた寸法となる。長孔３１０の短辺３２１の寸法ａ１は、開閉錠つまみ９の厚み寸法と同じかわずかに大きい寸法に形成される。
【００５６】
このように構成された本実施例の解錠防止具の装着は、開閉錠つまみ９の一方の端部を長孔３１０に挿通して他方の段付き突き出し辺３２４を間隙９８にはめ込んだ後、他方の端部を長孔３１０に挿通するように、片側から順次装着する。一方の段付き突き出し辺３２３の先端と、他方の段付き突き出し辺３２４の本体１との折り曲げ部間の寸法ｂ４は、開閉錠つまみ９の長手方向側面の対角寸法ｄ１と同じかわずかに大きく形成されているので、開閉錠つまみ９の他方の端部は、段付き突き出し辺３２３の先端とすれ違って長孔３１０に挿通され、装着される。段付き突き出し辺３２３、３２４の先端間の寸法ｂ３は、開閉錠つまみ９の長手方向寸法より小さく形成されているので、解錠防止具の装着後、解錠防止具本体１を開閉錠つまみ９の水平方向の中心に配置すれば、段付き突き出し辺３２３、３２４が開閉錠つまみ９の両側の間隙９８にはめ込まれ、段付き突き出し辺３２３、３２４を開閉錠つまみ９のドア１０と対向する側面９６と確実に当接することができる。
【００５７】
開閉錠つまみ９に装着された開閉錠つまみ係合固定部３は、長孔の長辺３１１、３１２が、開閉錠つまみ９の回転方向において開閉錠つまみ９の長手方向側面９１、９２に当接するから、開閉錠つまみ９の回転を阻止しうる。長孔３１０の短辺３２１、３２２に形成された突き出し辺３２３、３２４は、開閉錠つまみ９のドアと対向する側面９６と当接するから、本体１の脱落を阻止できる。
【００５８】
本実施例の解錠防止具も、図１乃至図６に図示した実施例と同様の作用効果を有する。なお、図１３乃至図１６に図示した実施例は、開閉錠つまみ９が水平状態で施錠される錠前に用いたが、長孔３１０を縦方向に形成することで、開閉錠つまみ９が垂直状態で施錠される錠前に用いることができる。この場合、長孔３１０の短辺３２１、３２２に形成される突き出し辺３２３、３２４でなる脱落阻止部３２は、施錠時に上側となる一方のみに形成しても良い。
【実施例５】
【００５９】
図１７は本発明に係る解錠防止具の一実施例を示す正面図、図１８は図１７に図示した解錠防止具の側面図である。図１９乃至図２２は図１７、図１８に図示した解錠防止具を、ドアに装着した状態を示す図であって、図１９、図２０はそれぞれ施錠状態の正面図及び側面図。図２１、図２２はそれぞれ解錠状態の正面図及び側面図である。図において、図１乃至図１６と同一参照符号は、同一構成要素を示している。
【００６０】
本実施例に適用される錠前は、開閉錠つまみ９が水平状態で施錠される錠前であって、図１乃至図９に図示した開閉錠つまみ９と同様に、開閉錠つまみ９の長手方向側面９１、９２の両側に凹部９５が形成されている。
【００６１】
本実施例の解錠防止具において、開閉錠つまみ係合固定部３以外の構成要素は、図１乃至図１６と同一構成であるため、その説明を省略する。
【００６２】
本実施例の開閉錠つまみ係合固定部３は、図１乃至図１６に図示した実施例と同様、回転阻止部３１と、脱落阻止部３２とを含み、プレスによる打ち抜き、研削加工あるいは樹脂成形等の手段により、角形の長孔で構成されるが、第１の長孔３１０と、第２の長孔３２０とを含んで構成される。第２の長孔３２０は、第１の長孔３１０より短く、第１の長孔３１０の上側に連続して形成される。このため、開閉錠つまみ係合固定部３の形状は、短辺３２１、３２２に段部３２５、３２６を有する段付き長孔となる。第１の長孔３１０は、その長辺３１１の寸法ｂ１が開閉錠つまみ９の長手方向側面９１、９２の長さと同じかわずかに長く、その短辺３２１、３２２の寸法ａ１が開閉錠つまみ９の厚み寸法と同じかわずかに大きい。第２の長孔３２０は、その長辺３１２の寸法ｂ５が開閉錠つまみ９の長手方向側面の長さより凹部９５の深さ寸法分短く、段部３２１、３２２で構成される短辺の寸法ａ２は開閉錠つまみ９の厚み寸法よりわずかに小さい。第１の長孔３１０の短辺３２１、３２２の寸法ａ１、第２の長孔３２０の段部３２５、３２６の寸法ａ２は、開閉錠つまみ９の厚み寸法と同じでも、これより大きくてもよいが、大きくなると、回転阻止部３１を構成する長辺３１１、３１２の対向間隔すなわちａ１＋ａ２の寸法が大きくなって、回転阻止部３１の遊びが大きくなる。更に、この寸法ａ１＋ａ２が開閉錠つまみ９の回転面上の対角線寸法より大きくなると、開閉錠つまみ９の回転を阻止できなくなる。従って、長辺３１１、３１２の対向間隔の寸法は、開閉錠つまみ９の回転面上の対角線寸法より小さくする必要がある。第１の長孔３１０の短辺３２１、３２２の寸法ａ１は開閉錠つまみ９を容易に挿通できれば充分であり、第２の長孔３２０の段部３２５、３２６で構成される短辺の寸法ａ２は、段部３２５、３２６が開閉錠つまみ９に当接して本体１の脱落を阻止し得る寸法であれば、開閉錠つまみ９の厚み寸法より小さくても充分である。
【００６３】
このように構成された本実施例の解錠防止具の装着は、第１の長孔３１０に開閉錠つまみ９を挿通させた後、段部３２５、３２６を凹部９５に落とし込むことで装着できる。装着された解錠防止具は、長孔３１０、３２０の長辺３１１、３１２が開閉錠つまみ９の長手方向側面９１、９２に対向する。このため、開閉錠つまみ９を不正に回転させようとしても、長孔３１０、３２０の長辺３１１、３１２に開閉錠つまみ９の長手方向側面９１、９２が当接するので、回転が阻止される。長孔３２０に形成された段部３２５、３２６は、凹部９５に落とし込まれているから、開閉錠つまみ９のドア１０と対向する側面９６と当接し解錠防止具の脱落を阻止できる。
【００６４】
本実施例の解錠防止具も、図１乃至図６に図示した実施例と同様の作用効果を有する。また、長孔３１０、３２０の長辺３１１、３１２に突き出し辺を形成したり、段部３２５、３２６を本体１の板面の厚み方向に折り曲げて、厚み方向の段差も備えた段部とすれば、図１０乃至図１６に図示した実施例と同様、開閉錠つまみ９の凹部９５に円形の回転軸９７が露出し、その円周面が回転阻止部の当接面として機能しない開閉錠つまみ９に対しても用いることができる。
【００６５】
以上、図１乃至図２２を参照して、長孔形状の開閉錠つまみ係合固定部３を例示し、平板状の開閉錠つまみ９に適用した例を説明したが、本発明の開閉錠つまみ係合固定部３の形状は長孔に限らず、種々の形状を用い得る。また、開閉錠つまみ９の形状は、平板状に限らず、角形や楕円形であっても適用し得る。このような形状の開閉錠つまみ９は、回転面上の中心を通る対向側面間の距離が、側面の位置によって変化する。上述した実施例において、このような形状の開閉錠つまみ９に対する開閉錠つまみ係合固定部３の形状は、開閉錠つまみ９を挿通できる大きさで、しかも、開閉錠つまみ９の最も大きな対向側面間の距離、例えば、平板や角形であればその対角線寸法、楕円形であればその長径寸法と比較して、これより小さな対向間隔の当接部を備えた回転阻止部を構成することが必要条件となる。この条件は、平板形、角形あるいは楕円形の中心を軸として回転する場合に限らず、回転軸を中心から偏心させ、レバー状に構成する場合も同様である。
【実施例６】
【００６６】
本発明は、更に、上述の条件に限定されない解錠防止具についても開示する。
図２３は本発明に係る解錠防止具の他の一実施例を示す正面図、図２４は図２３に図示した解錠防止具の側面図である。図２５乃至図２８は、図２３、図２４に図示した解錠防止具をドアに装着した状態を示す図であって、図２５、図２６はそれぞれ施錠状態の正面図及び側面図。図２７、図２８はそれぞれ解錠状態の正面図及び側面図である。図において、図１乃至図２２と同一参照符号は、同一構成要素を示している。
【００６７】
本実施例の解錠防止具の特徴は、開閉錠つまみ係合固定部３に突起を含み、突起が開閉錠つまみに嵌合する点にある。このため、開閉錠つまみ９は、突起が嵌合する穴を必要とするが、開閉錠つまみ９の形状は特に限定されず、真円形のように、回転面上の中心を通る対向側面間の距離が、側面のいずれの位置においても等しい開閉錠つまみ９であっても適用しうる。また、開閉錠つまみ係合固定部３の形状も特に限定されない。
【００６８】
本実施例の解錠防止具の更に別の特徴は、ドアノブ係合部２及び開閉錠つまみ係合固定部３が、それぞれ別体で構成され、これらが互いに連結されて一体化されている点にある。
【００６９】
本実施例に用いる開閉錠つまみ９は、長手方向側面を有する平板状であって、平板の中央部に厚み方向に貫通する穴９９が形成されている。
【００７０】
本実施例の解錠防止具は、第１の部材１１と第２の部材１２と連結部材１３とを含む。第１の部材１１にはドアノブ係合部２が形成される。ドアノブ係合部２は、図１乃至図２２に図示した実施例と同様、瓢箪形貫通孔２０で構成され、同様にドアノブ６に装着され、解錠時に待機状態で保持できる。
【００７１】
第２の部材１２には開閉錠つまみ係合固定部３が形成される。開閉錠つまみ係合固定部３は、長孔３１０で形成され、突起３９を含んでいる。突起３９は長孔３１０の長辺３１１から長孔３１０の内部に向かって突出する。長孔３１０の大きさは、長辺３１１、３１２の寸法ｂ１が開閉錠つまみ９の長手方向側面９１、９２より長く、突起３９の先端と対向する長辺３１２との間隔ａ３が開閉錠つまみ９の厚みより大きく形成されればよく、その他の形状は特に限定されない。突起３９の先端と対向する長辺３１２との間隔ａ３は、開閉錠つまみ９が挿通できる大きさであれば良く、開閉錠つまみ９の対角線寸法とは無関係に設定できる。
【００７２】
第１の部材１１と第２の部材１２とは、連結部材１３で連結される。連結にあたり、第１の部材１１及び第２の部材１２は、瓢箪形貫通孔２０を構成する小径の円弧２２と、開閉錠つまみ係合固定部３の突起３９とが遠い位置にあるように連結される。連結部材１３は、支持ロッド１４とコイルばね１５とを含んでいる。支持ロッド１４は第１の部材１１と第２の部材１２とが直線的に接近、離間できるようにスライド可能に支持する。コイルばね１５は、第１の部材１１と第２の部材１２とが互いに接近するように矢印方向に引力を与える。
【００７３】
このように構成された本実施例の解錠防止具において、開閉錠つまみ９への装着は、始めに、コイルばね１５を伸ばしながら支持ロッド１４をスライドさせ、第２の部材１２を第１の部材１１から離間させて、開閉錠つまみ係合固定部３の長孔３１０を開閉錠つまみ９の位置まで持って行く。次に、長孔３１０に形成された突起３９の先端と、対向する長辺３１２との間隔を通して、開閉錠つまみ９を挿通させた後、開閉錠つまみ９に形成された穴９９に突起３９を嵌合させて装着する。突起３９は、開閉錠つまみ９の回転を阻止するとともに、解錠防止具が開閉錠つまみ９から脱落するのを防止する。
【００７４】
本実施例の解錠防止具は、突起３９を回転阻止部３１及び脱落阻止部３２として兼用している、このため、開閉錠つまみ係合固定部３の形状は、開閉錠つまみ９を挿通し得る形状であれば、どのような形状であっても良く、開閉錠つまみ９の対角線寸法とは無関係に設定できる。また、開閉錠つまみ９に突起３９が嵌合する穴９９を形成すればどのような形状の開閉錠つまみ９にも用いることができる。更に、ドアノブ係合部２及び開閉錠つまみ係合固定部３が、それぞれ別体で構成され、これらが互いに連結されてスライド可能に一体化されているので、ドアノブ６と開閉錠つまみ９との距離が種々異なるドア１０にも用いることができる。連結部材１３は、第１の部材１１と第２の部材１２との間に必ずしも引力を与える必要は無く、単に両者がスライド可能に構成するだけでも良い。この場合、第１の部材１１の向きは何れでも良く、ドアノブ係合部２の小径の円弧２２がドアノブ６の回転軸６１と係合していれば良い。なお、図１乃至図２２に図示した実施例においても、ドアノブ係合部２及び開閉錠つまみ係合固定部３をそれぞれ別体で構成することが可能である。
【００７５】
本実施例の解錠防止具も、図１乃至図６に図示した実施例と同様の作用効果を有する。
【実施例７】
【００７６】
図２９は本発明に係る解錠防止具の他の一実施例を示す正面図、図３０は図２９に図示した解錠防止具の側面図である。図３１は、図２９、図３０に図示した解錠防止具をドアに装着した状態を示す正面図、図３２はその側面図であって、それぞれ施錠状態を示している。図において、図１乃至図２８と同一参照符号は、同一構成要素を示している。
【００７７】
本実施例の解錠防止具の特徴は、ドアノブ係合部２及び開閉錠つまみ係合固定部３が、それぞれ別体で構成され、これらが互いに連結されて長さ調整が可能に一体化される点及び開閉錠つまみ係合固定部３の回転阻止部３１が一方側にのみ形成されている点にある。
【００７８】
本実施例に用いる開閉錠つまみ９は、長手方向側面９１、９２を有する平板状であって、平板の一端部に回転軸９７を有し、レバー状に形成されている。レバーが垂直状態のときは解錠状態にあり、水平状態のときは施錠状態にある。
【００７９】
本実施例の解錠防止具は、第１の部材１１と第２の部材１２と連結固定部材１６とを含む。
【００８０】
第１の部材１１にはドアノブ係合部２が形成される。ドアノブ係合部２は、図１乃至図２８に図示した実施例と同様、瓢箪形貫通孔２０で構成され、同様にドアノブに装着され、解錠時に待機状態で保持できる。
【００８１】
第２の部材１２には開閉錠つまみ係合固定部３が形成される。開閉錠つまみ係合固定部３は、図１７乃至図２２に図示した実施例と同様第１、第２の長孔３１０、３２０で形成され、短辺３２１、３２２に段部３２５、３２６を備えている。第２の長孔３２０は、図１０乃至図１２に図示したと同様の突き出し辺３１３が形成されている。
【００８２】
第１の長孔３１０は、その長辺３１１の寸法ｂ１が開閉錠つまみ９の長手方向側面９１、９２の長さより長く、その短辺３２１、３２２の寸法ａ１が開閉錠つまみ９の厚み寸法より大きい。第２の長孔３２０は、その長辺３１２の寸法ｂ５が開閉錠つまみ９の長手方向側面の長さよりわずかに短く、段部３２５、３２６の寸法ａ２は開閉錠つまみ９の厚み寸法より大きく形成されている。長孔３１０、３２０の形状は、開閉錠つまみ９を挿通できるとともに、開閉錠つまみ９を挿通したとき、開閉錠つまみ９の長手方向側面９１、９２の少なくとも一方に当接する長辺３１２でなる回転阻止部３１を備え、更に、開閉錠つまみ９に当接する脱落阻止部３２を備える形状であれば、開閉錠つまみ９の対角線寸法とは無関係に設定でき、長孔３１０、３２０以外の種々の形状を採用し得る。
【００８３】
第１の部材１１と第２の部材１２とは、連結固定部材１６で連結される。連結固定部材１６は、ねじ等の固定部材を含み、第１の部材１１と第２の部材１２とが直線的に接近、離間できるようにスライド可能に連結するとともに、所定のスライド位置で両者を固定する。
【００８４】
このように構成された本実施例の解錠防止具において、開閉錠つまみ９への装着は、連結固定部材１６をスライドして第１の部材１１と第２の部材１２との間隔を調節し、開閉錠つまみ係合固定部３の第１の長孔３１０に開閉錠つまみ９を挿通した後、第１の部材１１と第２の部材１２との間隔を更に調節して、段部３２５、３２６を開閉錠つまみ９と、ドア１０との間に形成される間隙９８に挿通する。開閉錠つまみ９は、第２の長孔３２０に挿通され、突き出し辺３１３が開閉錠つまみ９の一方の長手方向側面９２に当接する。このとき、第１の部材１１に形成されたドアノブ係合部２の小径の円弧２２は、ドア回転軸６１の上端に当接するので、この状態で、連結固定部材１６により、第１の部材１１と第２の部材１２との間隔を固定する。
【００８５】
本実施例の解錠防止具は、開閉錠つまみ係合固定部３の開閉錠つまみ９に対する移動が阻止されるので、開閉錠つまみ９の一方側の長手方向側面３１２のみに突き出し辺３１３が当接するだけで、開閉錠つまみ９の回転が阻止できる。本実施例の解錠防止具も、図１乃至図６に図示した実施例と同様の作用効果を有する。
【００８６】
以上、好ましい実施例を参照して本発明を詳細に説明したが、本発明はこれらに限定されるものではなく、当業者であれば、その基本的技術思想および教示に基づき、種々の変形例を想到できることは自明である。
【図面の簡単な説明】
【００８７】
【図１】本発明に係る解錠防止具の一実施例を示す正面図である。
【図２】図１に図示した解錠防止具の側面図である。
【図３】図１に図示した解錠防止具の装着状態を示す正面図である。
【図４】図１に図示した解錠防止具の装着状態を示す側面図である。
【図５】図１に図示した解錠防止具の装着状態を示す正面図である。
【図６】図１に図示した解錠防止具の装着状態を示す側面図である。
【図７】本発明に係る解錠防止具の他の実施例を示す正面図である。
【図８】図７に図示した解錠防止具の側面図である。
【図９】図７に図示した解錠防止具の装着状態を示す正面図である。
【図１０】本発明に係る解錠防止具の他の実施例を示す正面図である。
【図１１】図１０に図示した解錠防止具の装着状態を示す正面図である。
【図１２】図１０に図示した解錠防止具の装着状態を示す側面図である。
【図１３】本発明に係る解錠防止具の他の実施例を示す正面図である。
【図１４】図１３に図示した解錠防止具の平面図である。
【図１５】図１３に図示した解錠防止具の装着過程を示す平面図である。
【図１６】図１３に図示した解錠防止具の装着状態を示す正面図である。
【図１７】本発明に係る解錠防止具の他の実施例を示す正面図である。
【図１８】図１７に図示した解錠防止具の側面図である。
【図１９】図１７に図示した解錠防止具の装着状態を示す正面図である。
【図２０】図１７に図示した解錠防止具の装着状態を示す側面図である。
【図２１】図１７に図示した解錠防止具の装着状態を示す正面図である。
【図２２】図１７に図示した解錠防止具の装着状態を示す側面図である。
【図２３】本発明に係る解錠防止具の他の実施例を示す正面図である。
【図２４】図２３に図示した解錠防止具の側面図である。
【図２５】図２３に図示した解錠防止具の装着状態を示す正面図である。
【図２６】図２３に図示した解錠防止具の装着状態を示す側面図である。
【図２７】図２３に図示した解錠防止具の装着状態を示す正面図である。
【図２８】図２３に図示した解錠防止具の装着状態を示す側面図である。
【図２９】本発明に係る解錠防止具の他の実施例を示す正面図である。
【図３０】図２９に図示した解錠防止具の側面図である。
【図３１】図２９に図示した解錠防止具の装着状態を示す正面図である。
【図３２】図２９に図示した解錠防止具の装着状態を示す側面図である。
【符号の説明】
【００８８】
１本体
２ドアノブ係合部
２０貫通孔
３開閉錠つまみ係合固定部
３１回転阻止部
３２脱落阻止部
９開閉錠つまみ
【図１】
2006022544.tif 000003
【図２】
2006022544.tif 000004
【図３】
2006022544.tif 000005
【図４】
2006022544.tif 000006
【図５】
2006022544.tif 000007
【図６】
2006022544.tif 000008
【図７】
2006022544.tif 000009
【図８】
2006022544.tif 000010
【図９】
2006022544.tif 000011
【図１０】
2006022544.tif 000012
【図１１】
2006022544.tif 000013
【図１２】
2006022544.tif 000014
【図１３】
2006022544.tif 000015
【図１４】
2006022544.tif 000016
【図１５】
2006022544.tif 000017
【図１６】
2006022544.tif 000018
【図１７】
2006022544.tif 000019
【図１８】
2006022544.tif 000020
【図１９】
2006022544.tif 000021
【図２０】
2006022544.tif 000022
【図２１】
2006022544.tif 000023
【図２２】
2006022544.tif 000024
【図２３】
2006022544.tif 000025
【図２４】
2006022544.tif 000026
【図２５】
2006022544.tif 000027
【図２６】
2006022544.tif 000028
【図２７】
2006022544.tif 000029
【図２８】
2006022544.tif 000030
【図２９】
2006022544.tif 000031
【図３０】
2006022544.tif 000032
【図３１】
2006022544.tif 000033
【図３２】
2006022544.tif 000034